(57)【要約】【課題】本発明は、解除キーに光透過型の材料を用い、該解除キーに赤外光を透過させて該赤外光をタグ内の受光素子に受光させることにより自鳴式タグの電源を解除させることを目的とする。【解決手段】本発明の自鳴式物品監視装置の電源解除装置は、使用時電源をオンにし、解除キーにより電源をオフにする自鳴式物品監視装置において、前記解除キーが光透過型の材質からなり、該解除キーが前記自鳴式物品監視装置の解除孔に挿入された状態で該解除キーを介して制御用光信号を送信し、該送信された制御信号を前記自鳴式物品監視装置内に設けられた受光素子が受光することにより自鳴式物品監視装置の電源をオフにする。上記電源解除装置は、前記自鳴式物品監視装置の解除孔の先端内部には自動復帰型スイッチが設けられており、該解除キーが前記解除孔に挿入された時該解除キーの先端によって前記自動復帰型スイッチをＯＮとして前記光信号による解除回路が待ち受け状態になる。【選択図】図４
2007200050.tif 000002
【特許請求の範囲】
【請求項１】
使用時電源をオンにし、解除キーにより電源をオフにする自鳴式物品監視装置において、
前記解除キーが光透過型の材質からなり、該解除キーが前記自鳴式物品監視装置の解除孔に挿入された状態で該解除キーを介して制御用光信号を送信し、該送信された制御信号を前記自鳴式物品監視装置内に設けられた受光素子が受光することにより自鳴式物品監視装置の電源をオフにすることを特徴とする自鳴式物品監視装置の電源解除装置。
【請求項２】
前記自鳴式物品監視装置の解除孔の先端内部には、前記電源をオフにする制御回路用の自動復帰型スイッチが設けられており、前記解除キーが前記解除孔に挿入された時該解除キーの先端によって上記制御回路用の自動復帰型スイッチをＯＮとすることにより前記光信号による電源をオフにする制御回路が待ち受け状態になることを特徴とする前記請求項１記載の自鳴式物品監視装置の電源解除装置。
【請求項３】
前記使用時電源をオンにする電源スイッチが商品検知スイッチを兼ねることを特徴とする前記請求項１または２記載の自鳴式物品監視装置の電源解除装置。
【請求項４】
前記制御回路がマイコンを有し、前記電源オンの状態で商品検知スイッチがオフになった時、あるいは前記電源オンの状態でゲート電波を受信した時警報を発することを特徴とする前記請求項１〜３の内、いずれか１項に記載の自鳴式物品監視装置の電源解除装置。
【請求項５】
前記解除キーが二股形状であり、該解除キーの一方の脚の先端で前記電源をオフにする制御回路用の自動復帰型スイッチの作動子をＯＮにした時、他方の脚の先端が前記自鳴式物品監視装置筐体内の壁に当接してそれ以上押し込めないようにしていることを特徴とする前記請求項２記載の自鳴式物品監視装置の電源解除装置。
【請求項６】
前記自鳴式物品監視装置筐体内に逆ハの字状の開脚部を有する前記解除キーの挿入受け部を設け、該挿入受け部材の奥に前記解除用の自動復帰型スイッチを設けたことを特徴とする前記請求項２または５記載の自鳴式物品監視装置の電源解除装置。
【発明の詳細な説明】
【技術分野】
【０００１】
この発明は、盗難防止用警報装置及びその解除機構に関連し、特に商品の万引き等を防止するため商品に固着させて用いる貼り付け型自鳴式物品監視用タグに用いるのに好適な上記ロック時の電源解除装置に関する。
【背景技術】
【０００２】
従来、自鳴式物品監視用タグのロック機構及びその解除方法については、数多くの機構が知られている。しかし、簡単な構造で、安価に作れて、しかも壊れにくく、解除用のキーが簡単な構造のプラスチック製でできたものは少ない。
【０００３】
自鳴式物品監視用タグのロック機構としては、従来特開平７−２７２１３９号公報、特開平７−１２９８６６号公報、特開平７−６５２５３号公報といったものが公知である。しかし、いずれも構造が複雑で製造が面倒だったり、操作が複雑だったり、また故障し易く、壊れ易かったり、製造コストが高かったりして、簡単な構造で、安価に作れて、しかも壊れにくく、信頼性の高いロック機構は少なかった。
【０００４】
この自鳴式物品監視用タグは、例えば特開平８−４４９６３号公報にも見られるように、警報作動検出スイッチ及びブザーを具え、該ブザーは、無線受信回路及び検出スイッチによって動作が制御されており、タグが外されたとき、或いは上記タグがゲートを通過するときに鳴動するものである。
【０００５】
販売店においては上記自鳴式物品監視用タグを商品に取り付けて陳列し、客に商品を販売する際、店員はロックを解除しブザーを鳴動しない状態に設定した上で、料金と引き替えに客に商品を手渡している。上記のように、客が勝手に上記タグを商品から引き離すと、警報作動検出スイッチはブザーへ鳴動指令を発し、ブザーは鳴動する。これによって、店員はタグが不正に取り外されたことを知ることができる。
【０００６】
また、客が商品にタグを付けたまま無断で店外へ持ち出そうとすると、上記自鳴式物品監視用タグ内の受信回路が入口ゲート等に設けられている送信回路からの信号を受けてブザーへ鳴動指令を発し、ブザーは該鳴動指令を受けて鳴動する。これによって、店員は商品が不正に店外へ持ち出されようとしていることを知ることができる。
【０００７】
このような自鳴式タグのロック機構の他の例として、従来ＣＤケースと組み合わせた特開平９−３２８１８４号公報や特開平１１−１１５６６号公報のものも知られている。該従来例は、ＣＤケースが出し入れ可能な開口部を背面に有した収納容器本体と、該収納容器本体の上端部にＣＤケースの取り出しを制限する押し釦式のロック機構を備え、該ロック機構は、左右に配設された板バネにより突出状態を保持されるロック部材を備えたものである。前記ロック機構は、上下動するロック部材の両側面に突起を形成されており、また、前記板バネは、一枚のバネ材（磁性材）をＵ字状に折り曲げて形成されている。ロック機構の施錠は、ロック機構の頂部から上に突出した釦部を指で押し込むことにより行う。釦部が押し込まれると、ロック部材の両側に配設された板バネは、両側の係合段部に係合し、ロック部材を下降した状態で維持する。このようにして、ロック部材が容器内の隙間に突出し施錠される。
【０００８】
ロック部材は、両側を板バネで係止されているので、ロックが外れることもない。また、解錠する場合には、ロック機構の両側面に強力な磁石を有した解錠具を当て、板バネを側面方向へ引き寄せる。解錠具は、ロック機構をそのまま収納できる凹部を有しており、
凹部の両端に強力な磁石を有している。板バネの両先端が両側に引き寄せられると、ロック部材は係合段部との係合が解除され上昇する事ができる。ロック部材が上昇すると、ＣＤケースが隙間を自由に移動する事ができ、ＣＤケースを任意に取り出す事ができる。
【０００９】
これらを改善した自鳴式タグのロック機構として、治具等を用いずに手動でできると共に、ロック状態になったものを解除する場合、プラスチック製の簡単な板状キーでロック解除ができる小型・軽量で、安価なロック機構が提案されている（特開２０００−３３９５５７号公報参照）。
【００１０】
この提案のロック機構は、逆ハの字状の開脚部及び該開脚部に連なるロック係合部を有し、一体成形されていて上記開脚部が弾性を有する雌型ロック部材、先端に上記逆ハの字状の開脚部に対応して滑り込む斜面を有し、該斜面に連なるロック係合部を設けた断面板状の雄型ロック部材、及び脚部間の距離が略前記雄型ロック部材の横幅に相当し、脚部の内側に突起を設けた２脚型フォーク形状の解除キーからなるロック機構において、上記雄型ロック部材を上記雌型ロック部材の開脚部に押し込むことにより両者のロック係合部を係合させロックさせると共に、上記２脚型フォーク形状の解除キーの脚部を上記雄型ロック部材を挟むようにして押し込むことにより解除キーの脚部の先端部を前記雌型ロック部材の開脚部間に挿入し、前記解除キーの脚部の内側の突起が前記雄型ロック部材に当接して前記解除キーの脚部及びこれに当接する前記雌型ロック部材の開脚部が外方向に押し広げられることより、前記ロック係合部の係合を解除するものである。
【００１１】
さらに、該雄型ロック部材には、さらに上記ロック係合部に連なる凹部を設け、前記ロック解除時に前記解除キーの脚部の内側の突起が上記雄型ロック部材の凹部に填り込むことにより、前記解除キーを引き抜くとき前記雄型ロック部材も一体と成って引き出される。
【００１２】
また、前記雄型ロック部材の上面に突起が設けられており、該突起との係合によりスイッチのＯＮ−ＯＦＦを行うことを特徴とする。さらに、前記雄型ロック部材の後方に該ロック部材と一体になったロック・ピンが設けられ、該ロック・ピンが前記ロック機構を取り付けたケースの後方外側に突出しており、該ロック・ピンの両サイドに前記解除キーの脚部挿入用の孔が設けられている。
【００１３】
以下、この従来提案のロック機構について、詳述する。図１は、このロック機構が用いられる自鳴式物品監視用タグの全体図を示す。１はプラスチック・ケースであり、３は該ケース内に収納されるプリント基板、４はブザー、５は電池、６はプリント基板に設けられた長孔、７はスイッチ、８は雄型ロック部材、９は雌型ロック部材、１０はロック・ピン、１１は上蓋、１２はスナップ・スイッチ、１４は該スナップ・スイッチの動作片、１３は上蓋に設けられた開孔である。上記自鳴式タグは、長さ９cm、幅２cm、の舟型をしており、該ケースから突出したスナップ・スイッチの動作片１４を商品に押し付けてテープ等で商品に固着されている。後述するように、上記動作片が押されている限り、ブザーは鳴らない。しかし、不正に上記タグが商品より外されると、上記動作片１４がＯＮとなり、ブザーが鳴動する。また、後述するロック解除を行わずに不正に商品をもって黙って入口から出ようとすると入り口にある発振装置の電波を受信してブザーが鳴動する。
【００１４】
図２、図３に、上記タグのロック機構の部分の拡大図を示す。図２、図３に見られる如く、雌型ロック部材９は、略コの字状の底部、雄型ロック部材と係合する係合部１５及び雄型ロック部材に対して逆ハの字状に開脚する開脚部１７から成っていって、それらは前記プリント基板の孔に係合して固着するためのピン３３，３４と共にプラスティック素材で一体成形されている。該雌型ロック部材は、前記舟型ケースの底部に貼り付けられてケースに固着されている。
【００１５】
なお、雄型ロック部材８は、二つのくびれ部分をもち、一見バイオリンの胴部分と似たような形状をしている。
前記プリント基板には、自鳴式盗難防止用の前記機能を有する回路が組み込まれており、前記スイッチ１２オン、または例えば８．２ＭＨｚの電波を受信することによってブザー４を鳴らすことができる。また、前記解除キー２の先端２０を前記舟型ケース１の後方のロック・ピン側正面に設けられた両サイドの孔１０’（図１（ｄ））から挿入し、後述するように上記解除キーを奥まで押し込んで引っ張り、ロックを解除すると、前記雄型ロック部材の上面に設けられた突起２９，３０の作用によりスライド・スイッチ（電源スイッチ）の突起１９（図３）がＯＦＦとなるので、上記ブザーの鳴動回路への電源供給が断たれ、前記タグは取り外しても鳴動しない。
【００１６】
このロック機構のロック動作及びロック解除動作は以下のとおりである。図２は上記ロック機構のロック解除状態を、図３は上記ロック機構のロック状態を示す。前述の如く、上記ロックは雄型ロック部材の係合部１６が雌型ロック部材の係合部１５に係合することによってなされる。
【００１７】
図２、図３のロック解除は、解除キーの先端２０を前記舟型ケース１の後方のロック・ピン側正面に設けられた両サイドの孔１０’（図１（ｄ））から挿入し、該解除キーを奥まで徐々に押し込み、奥まで押し込んでから引き抜くことによりなされる。
【００１８】
解除キー２は、図２に示されるように、２脚のフォーク状の形状をしており、その脚部２０の両方の内側には適当な位置に半円状の突起２１が設けられている。
上記解除キー２を挿入し、上記は半円形の内側突起２１が前記雄型ロック部材の角部２５に当接した状態からさらに解除キーを押し込むと、該半円形の突起が雄型ロック部材の角部２５に乗り上げることにより、上記解除キーの先端部２０が外側に開く。この時丁度、解除キーの先端２０が前記雌型ロック部材の逆ハの字状に開いている先端脚部１７の内側に当接し、該先端脚部１７を両側外方向に押し開く。この先端脚部１７が外方向に開く動作によって、前記雄型ロック部材の係合部１６と雌型ロック部材の係合部１５の係合が外れる。該ロックを外す動作の後、さらに前記解除キーを押し込んでいくと、前記解除キーの半円形の内側突起２１が雄型ロック部材８の上記角部よりさらに内側に進み、上記解除キーの半円形の内側突起と大きさの同じ半円形の凹部２６にすっぽりと填り込む。この填り込み動作が完了すると、解除キーはこれ以上先に進むことはできなくなる。
【００１９】
次に逆に解除キーを引き抜いていくと、上記填り込みの動作により雄型ロック部材８は解除キーと一体化されているので、解除キーと一緒に右方向に引き抜かれていく。図２に戻って、この移動動作は雄型ロック部材の端面３７が前記ケースの内部に設けられた２条の梁３８，３８’に当接するまで行われる。梁３８，３８’に当接すると、弾条体となっている解除キーの先端部２０の内側突起２１が前記雄型ロック部材の凹部２６から抜けだし、その後は解除キーのみ図２に示されるように外方向に分離されて引き出される。
【００２０】
上記ロック解除とは逆にロックする場合は、図２において雄型ロック部材と一体になってケース後方の外方向に延在しているロック・ピン１０を手で押し込むことにより行われる。
【００２１】
上記ロック機構を前記自鳴式物品監視用タグに用いた場合の動作は以下のとおりである。図１（ｂ）において７は自鳴式警報回路の電源スイッチであり、上記ロック機構のロック時に該スイッチが入り、自鳴式警報回路がＯＮ状態となる。自鳴式警報回路がＯＮ状態となると、ブザー鳴動回路（発振回路）の入力を短絡している警報作動スイッチ１２のＯＮ状態、もしくは上記回路に内蔵されている警報発生用電波の受信回路への電波入力によ
って作動し、警報が鳴る。なお、上記自鳴式警報回路の一例が再公表ＷＯ００／３１７０３号公報として既に提案されている。
【００２２】
前記ロック機構の雄型ロック部材の上面には２つの突起２９，３０が設けられており、図２、図３に見られる如く該突起は上記電源スイッチ（スライド・スイッチ）７の作動片１９にロック時、またはロック解除時に当接するようになっている。かくして、ロック時に上記電源スイッチが投入され、またロック解除時に上記電源スイッチがＯＦＦとなる。正常に商品が販売されるときは、店舗の入り口カウンタで、店員が上記解除キーにより上記自鳴式タグのロックを解除して商品から取り外し商品のみを客に引き渡すので、自鳴式タグが鳴動することはない。
【００２３】
上記提案のロック機構は、小型・軽量で、確実なロックを可能とする機構であるが、解除キーの挿入口（図１（ｄ）の舟型ケース１の後方のロック・ピン側正面に設けられた両サイドの孔１０’）から、つまようじのような細い棒を挿入し、前記雌型ロック部材の逆ハの字状に開いている先端脚部１７を両側外方向に押し開いて、雄型ロック部材とのロックを解除してピンを引き抜き、ロックを解除されてしまう危険があり、また解除キーを盗まれたり、あるいは類似形状のものを作られて前記ロックを解除される危険性があった。
【特許文献１】特開平７−２７２１３９号公報
【特許文献２】特開平７−１２９８６６号公報
【特許文献３】特開平７−６５２５３号公報
【特許文献４】特開平９−３２８１８４号公報
【特許文献５】特開平１１−１１５６６号公報
【発明の開示】
【発明が解決しようとする課題】
【００２４】
本発明は、従来提案のロック機構及びその解除装置の改良に関するものであって、解除キーに光透過型の材料を用い、該解除キーに赤外光を透過させて該赤外光をタグ内の受光素子に受光させることにより自鳴式タグの電源を解除させようとするものである。
【課題を解決するための手段】
【００２５】
上述した課題を解決するため、本発明の自鳴式物品監視装置の電源解除装置は、使用時電源をオンにし、解除キーにより電源をオフにする自鳴式物品監視装置において、前記解除キーが光透過型の材質からなり、該解除キーが前記自鳴式物品監視装置の解除孔に挿入された状態で該解除キーを介して制御用光信号を送信し、該送信された制御信号を前記自鳴式物品監視装置内に設けられた受光素子が受光することにより自鳴式物品監視装置の電源をオフにすることを特徴とする。
【００２６】
さらに、前記自鳴式物品監視装置の解除孔の先端内部には、前記電源をオフにする制御回路用の自動復帰型スイッチが設けられており、前記解除キーが前記解除孔に挿入された時該解除キーの先端によって上記制御回路用の自動復帰型スイッチをＯＮとすることにより前記光信号による電源をオフにする制御回路が待ち受け状態になることを特徴とする。
【００２７】
さらに、前記使用時電源をオンにする電源スイッチが商品検知スイッチを兼ねることを特徴とする。
さらに、前記制御回路がマイコンを有し、前記電源オンの状態で商品検知スイッチがオフになった時、あるいは前記電源オンの状態でゲート電波を受信した時警報を発することを特徴とする。
【００２８】
またさらに、前記解除キーが二股形状であり、該解除キーの一方の脚の先端で前記電源をオフにする制御回路用の自動復帰型スイッチの作動子をＯＮにした時、他方の脚の先端
が前記自鳴式物品監視装置筐体内の壁に当接してそれ以上押し込めないようにしていることを特徴とする。
【００２９】
またさらに、前記自鳴式物品監視装置筐体内に逆ハの字状の開脚部を有する前記解除キーの挿入受け部を設け、該挿入受け部材の奥に前記解除用の自動復帰型スイッチを設けたことを特徴とする。
【発明の効果】
【００３０】
この発明の自鳴式物品監視装置の電源解除装置は、上記構成により赤外線により自鳴式物品監視装置の電源解除の制御を行っており、光透過型解除キーの挿入のみにより簡単に電源を解除できるので構造が簡単であり、故障も少ない。    
【００３１】
また、前記従来のようなロック機構は必要でなく、前記好適な実施例に示す如くロック機構が無くなればロック機構の故障もなくなるのでタグの信頼性も高まる。また、前記電源解除用の制御信号は、適宜パルスの組み合わせで形成されるので、該信号の組み合わせ数によってキーの種類が必要に応じて幾通りでも準備でき、キー解除の安全性が高まる。すなわち、単に解除キーが盗まれても、制御信号の内容を知らなければタグの電源解除はできない。同時に赤外線制御信号の送信回路が無ければ電源解除ができないので、従来のようにロックの機構的解除によって電源解除できるものに比較し、不正解除に対する防犯性が高い。
【００３２】
さらにまた、簡単に電源を解除できるので、店のカウンタではとりあえず電源をオフにしてタグを取り外し、その後電源を入れて次の使用の準備をするといった一連の操作が従来のロック式より簡単なので、繁忙時のカウンタでのタグ取り外し作業が従来より簡略化される。
【発明を実施するための最良の形態】
【００３３】
以下、図面を参照し、実施例に基づき本発明を詳細に説明する。
【実施例】
【００３４】
図４は、本発明の電源解除装置を用いた自鳴式物品監視装置（以下、単にタグという。）の全体斜視図である。図４において、４１は前記従来のものと同様の形状の貼り付け型タグであり、４２は従来の解除キーと同様の形状の光透過材（透明なもの）からなる解除キーである。従って、図４のものは従来の図１のものと外観は同じであり、また図示されないが図１の商品検知スイッチ１２及び作動片１４も同様に備えている。
【００３５】
上記タグの監視状態を解除するとき、解除キー４２には図示されない赤外線信号発生器の発光ダイオード４３と結合され、該赤外線信号発生器から電源解除用の制御信号が送信される。前記解除キーがタグ内に挿入状態において該送信された光制御信号が前記タグ内の受光素子４４に受光されて、タグ内の制御回路に入力され上記制御信号によりタグの電源が解除される。
【００３６】
図５〜図７には、本発明の解除キーによる前記電源解除の機構部分の好適な実施例を示す。図５は、タグ内の監視状態解除機構の拡大図を示し、図６は図５を裏面から見た図である。図７は、前記解除キーがタグの内部に挿入された状態の透視図を示す。
【００３７】
図７に示すように、電源解除用の解除キー５１は、店のカウンタ等での電源解除時（タグの監視状態の解除時）自鳴式物品監視装置筐体４５の底部に設けられた解除キー挿入孔５８，５９に解除キーを挿入する。自鳴式物品監視装置筐体４５内には解除キー受け部５７が設けられており、該解除キー受け部５７には下方に逆ハの字状に開いた弾性状挿入受
け部４６，４７が受け部５７に一体に形成されている。
【００３８】
上記挿入受け部４６，４７に導かれ、挿入された解除キーの先端５２，５３は、図５、図６に示されるようにその最奥で一方の脚５３が前記解除キー受け部５７の内部に設けられた壁５６に当接して停止する。これと同時に、他方の脚の先端５２が、前記解除キー受け部５７の内部に設けられた解除用準備スイッチ５５の自動復帰型作動子５４を押し込み、該制御回路の電源解除用準備スイッチ５５をＯＮにする。
【００３９】
該解除用準備スイッチ５５をＯＮにした状態で、図４に示すように上記解除キーに光学的に結合した図示しない外部の制御信号送信回路から光制御信号を送信すると、該光制御信号を上記解除キーを介して前記自鳴式物品監視装置筐体内で解除キーと光結合した前記自鳴式物品監視装置の受信回路で受信し、前記制御信号により後述するように電源制御回路が動作し自鳴式物品監視装置の電源をＯＦＦにする。なお、前記光制御信号は赤外線の方が外部に見えず、顧客や万引き者等に分かり難いので好ましい。前記解除キーは透明なプラスチック製が用いられるが、前記制御信号（例えば、赤外線）が通過する素材なら他のものでもよい。
【００４０】
なお、上記解除キーは、従来のロック構造と同様のロック構造を有し、解除キーも同様の形状であってもよい。しかし、新たに貼り付け型タグ（自鳴式物品監視装置）を導入したり、あるいはタグの更新時期で製品切り替えの時等は、図４〜図７に示される非ロック型のタグの方が利便性が高いので新型タグの導入が推奨される。
【００４１】
他の形状の解除キーを用いることにより、もっと解除機構を利便化することも可能である。例えば、解除キーの脚は上記実施例では２本であるが、１本でもいいし、また逆に３本、４本と複数設けてもよい。複数本設けることの効果は、脚の間隔や太さ、断面形状等を変えることにより脚の構造自体が鍵になることである。
【００４２】
また、光結合に必要な構造は大雑把な位置合わせのみで精密かつ複雑な構造は必要としないので、構造が簡単になることにより構造的に壊れにくい丈夫なものとなる効果もある。
【００４３】
図８には、本発明の赤外線信号によるタグの電源解除の基本回路を示す。
以下、図８の回路の動作説明を行う。なお、図９に、図８の回路に用いられるマイコンのポートの説明図を示す。
【００４４】
図８に示すごとく、Ｐ２０，Ｐ２１はモード選択（７１，７２）用端子であり、Ｐ２２が後述する電源解除信号の入力端子である。Ｐ２３は、Ｓ１スイッチ（６１）の動作を検知し、Ｐ３０は受信回路（７０）からの、例えば８．２ＭＨｚの警報電波の入力端子である。Ｐ３１はテスト端子、Ｐ３２は表示用ＬＥＤの発光制御端子である。Ｐ３３は後述するように電源の自己保持用端子であり、ＢＵ１はブザー鳴動回路（７３）用の出力端子である。なお、Ｓ１スイッチ（６１）はタグの貼り付け監視スイッチであり、例えば図１の１２と同様のものとなり、商品に貼り付け状態では１側（上側）にセットされ、タグが商品から外されると２側（下側）に自動復帰する。従って、セット後に電源リセットせずに不正に商品からタグが外されるとブザーが鳴動する。
１．未監視状態(電源ＯＦＦ)
電源オフでＳ１（６１）が１側（下側）にある場合、Ｑ３（ＦＥＴ）６３のゲ−トが０電位のためＱ３（６３）がオフになりＱ１（ＦＥＴ）６４のゲート電圧がソース電圧と同電位のためＱ１（６４）が導通しない。従って、マイコン及び周辺回路に電源が供給されない。
２．監視状態(電源がＯＮ)にするための動作
タグが商品に貼り付けられ、Ｓ１（６１）が２側（上側）になるとダイオードＤ３（５２）左側経由でＦＥＴ・Ｑ３（６３）のゲート電位が電源電圧近くに上昇しＱ３（６３）がＯＮになる。Ｑ３がＯＮになるとＦＥＴ・Ｑ１（６４）のゲート電位がソース電位より下がるためＱ１（６４）がＯＮになり、各回路に電源が供給され、マイコン（６７）が動作する。
【００４５】
マイコン（６７）が動作すると、プログラムにより端子Ｐ３３がＨ（３Ｖ）になり、この電位がダイオードＤ３（６２）の右側よりＦＥＴ・Ｑ３（６３）のゲートに加わり、仮にＳ１（６１）が１側（下側）になってもマイコン、周辺回路への電源供給は継続（自己保持）される。なお、Ｓ１（６１）が２側（上側）に保持されている状態が監視状態である。
３．警報モード
Ｓ１（６１）は電源を供給開始する機能と盗難監視機能の２つの機能がある。
【００４６】
・警報が発するステップ
タグが不正に外されて、Ｓ１（６１）が１側（下側）になると、マイコンの端子Ｐ２３がＨからＬになることをプログラムで検出し、マイコンのプログラムでタグは警報を発する。
４．赤外線リモコンでの解除
通常の場合Ｓ２（６６）がＯＦＦのため、ＰＴＨ１（遠赤外線受光器）６５がＯＮにならないためトランジスタＱ６（６８）がＯＦＦとなりマイコン端子Ｐ２２がＬレベルに固定されている。
【００４７】
タグ（ＴＡＧ）をリセットさせるためには外部から解除キーを入れ、さらに解除データを含んだ遠赤外線を送信する。
・動作詳細
解除キーを入れる事により、Ｓ２（６６）をＯＮにする。なお、Ｓ２（６６）は、図５〜図７の電源解除用準備スイッチ５５である。
【００４８】
↓
解除キーから遠赤外線制御信号（パルス列信号）を送信する。
↓
遠赤外線が入った時ＰＴＨ１（６５）がＯＮになる。
【００４９】
↓
ＰＴＨ１（５５）がＯＮになるとＱ６（６８）のべ一ス電位がエミッター電位より下がるためＱ６（６８）がＯＮになりマイコン端子Ｐ２２がＨになる。ＰＴＨ１（６５）がＯＦＦになるとＱ６のベースとエミッターが同電位になりＱ６がＯＦＦになる。このＰ２２がＨとＬを繰り返す事をパルスに置き換え解除信号としている。
【００５０】
この解除信号をマイコンで識別し、所定のパルス列の組み合わせが制御信号として入力されると、マイコン６７は電源ＯＦＦの制御信号ＬをＰ３３に出力する。Ｐ３３によりＱ３（６３），ついでＱ４（６４）がオフとなり電源が解除される。電源をＯＦＦにすれば、タグを外しても鳴動しない。次回タグを取り付けると前記と同様の動作となり、このようにしてタグは繰り返し使用される。
【００５１】
なお、この発明は、上記自鳴式タグのロック機構に関連する電源解除装置のみならず、広く簡易型の電源ロック機構及びその解除装置としていろんな分野に応用が可能である。この場合、解除キーの脚の大きさ、間隔、本数及びこれらの位置等をそれぞれ異なるもの
を用意し、それらを組み合わせることにより、多数の種類のロック機構を揃えることができる。
【産業上の利用可能性】
【００５２】
本発明は自鳴式物品監視装置（自鳴式タグ）の電源解除装置として、電源解除動作が簡便であり、従来のようにメカ的に電源ロックの解除をするものでないので、壊れにくく信頼性の高いものである。
【００５３】
また、光学式の信号により電源の解除を行うものであるので、制御信号の組み合わせを複数用いることが可能であり、またこの変更も容易である。このことによりキー機能が従来のものより充実したものになる。
【００５４】
またさらに、上記光学式制御信号として赤外線を用いれば、外から制御信号を見ることができず、上記キー機能の秘匿性が高い。
これらの特徴により、自鳴式タグの取り付け及び取り外しという現場での取り扱いの利便性に優れ、特に繁忙時の店内においてはとりあえず電源を解除すればよく従来のタグのようにロック解除の手間が要らないので、店員への負担、ひいては繁忙時の売り上げ増大にも寄与し、この発明の電源解除装置の産業の利用性は高い。
【図面の簡単な説明】
【００５５】
【図１】従来のロック機構が用いられる自鳴式物品監視用タグの全体図である。
【図２】上記自鳴式物品監視用タグのロック解除状態のロック機構の部分の拡大図である。
【図３】上記自鳴式物品監視用タグのロック状態のロック機構の部分の拡大図である。
【図４】本発明の電源解除装置を用いた自鳴式物品監視装置の全体斜視図である。
【図５】本発明の解除キーによる前記電源解除の機構部分の実施例を示す図である。
【図６】図５の本発明の解除キーによる前記電源解除の機構部分の実施例を裏側から見た図である。
【図７】本発明の解除キーによる前記電源解除の機構部分と自鳴式物品監視装置筐体との関係を示す図である。
【図８】本発明の赤外線信号によるタグの電源解除の基本回路を示す図である。
【図９】図８の回路に用いられるマイコンのポートの説明図である。
【符号の説明】
【００５６】
１  プラスティック・ケース
２  解除キー
３  プリント基板
４  ブザー
５  電池
６  長孔
７  スイッチ
８  雄型ロック部材
９  雌型ロック部材
１０  ロック・ピン
１１  上蓋
１２  スナップ・スイッチ
１４  スナップ・スイッチの動作片
１５，１６  係合部
１７  脚部
１９  スイッチの動作片
２０  先端部
２１  突起
２５  雄型ロック部材
２６  凹部
２９，３０  突起
３１  ガイド溝
３５  長尺状の突起
３８  梁
４１  貼り付け型タグ
４２  解除キー
４３  発光ダイオード
４４  受光素子
５１  解除キー
５２，５３  脚
５４  作動子
５５  電源解除用準備スイッチ
５７  受け部
６１  スナップ・スイッチの動作片
６５  受光素子
６６  スイッチ
６７  マイコン
７０  受信回路
７３  ブザー回路
【図１】
2007200050.tif 000003
【図２】
2007200050.tif 000004
【図３】
2007200050.tif 000005
【図５】
2007200050.tif 000006
【図６】
2007200050.tif 000007
【図８】
2007200050.tif 000008
【図９】
2007200050.tif 000009
【図４】
2007200050.tif 000010
【図７】
2007200050.tif 000011